(57)【要約】【課題】軽量化を図りながらもハンドル部材を強固かつ効率的に取り付け得る戸パネルを提供する。【解決手段】枠状芯材１１の戸厚方向両面に面材１０，１０が設けられ、戸幅方向一方側端部に、上下方向に長尺なバー状のハンドル部材３が取り付けられる戸パネル１であって、前記枠状芯材を構成する戸幅方向一方側端部の第１縦枠部１２の戸幅方向内方側における所定の取付基準範囲を含んだ戸厚方向に見た面積よりも小さくなるように、前記ハンドル部材を取り付けるための下地材１７を設けている。【選択図】図１
2016035171.tif 000002
【特許請求の範囲】
【請求項１】
枠状芯材の戸厚方向両面に面材が設けられ、戸幅方向一方側端部に、上下方向に長尺なバー状のハンドル部材が取り付けられる戸パネルであって、
前記枠状芯材を構成する戸幅方向一方側端部の第１縦枠部の戸幅方向内方側における所定の取付基準範囲を含んだ戸厚方向に見た面積よりも小さくなるように、前記ハンドル部材を取り付けるための下地材を設けたことを特徴とする戸パネル。
【請求項２】
請求項１において、
前記取付基準範囲の上下寸法に前記ハンドル部材の上下寸法を加えて２等分した寸法よりも大きく、かつ前記取付基準範囲の上下寸法よりも小さい上下寸法とされた下地材を、前記取付基準範囲の上限側または下限側に設けたことを特徴とする戸パネル。
【請求項３】
請求項１または２において、
前記第１縦枠部との間に隙間が形成されるように該第１縦枠部にスペーサー部を介して前記下地材を固定していることを特徴とする戸パネル。
【請求項４】
請求項１乃至３のいずれか１項において、
前記下地材の戸幅方向に沿う寸法を、前記第１縦枠部の戸幅方向に沿う寸法と同寸法としていることを特徴とする戸パネル。
【請求項５】
請求項１または２において、
前記下地材の戸幅方向に沿う寸法を、前記第１縦枠部の戸幅方向に沿う寸法と同寸法とし、該下地材の上下寸法と同寸法とされたスペーサー材を間に挟んで該下地材を前記第１縦枠部に固定していることを特徴とする戸パネル。
【発明の詳細な説明】
【技術分野】
【０００１】
本発明は、引戸や折戸等を構成する戸パネルに関する。
【背景技術】
【０００２】
従来より、引戸や折戸等を構成する戸パネルの戸幅方向一方側の端部（例えば、戸先側端部）には、開閉操作を行う際に手掛け等される取手が設けられている。近年では、握り易さの観点や種々の操作者に対応可能なように、上下方向（高さ方向）に長尺なバー状のハンドル部材が取り付けられる場合がある（例えば、下記特許文献１参照）。
【先行技術文献】
【特許文献】
【０００３】
【特許文献１】特開２００８−２８０７６６号公報
【発明の概要】
【発明が解決しようとする課題】
【０００４】
ところで、上記のような戸パネルは、軽量化等を図る観点等から枠状芯材の戸厚方向両面に面材を設けたいわゆるフラッシュパネルとされる場合が多々ある。このようなフラッシュパネルにも上記のようなハンドル部材を強固かつ効率的に取り付けることが望まれる。
【０００５】
本発明は、上記実情に鑑みてなされたものであり、軽量化を図りながらもハンドル部材を強固かつ効率的に取り付け得る戸パネルを提供することを目的としている。
【課題を解決するための手段】
【０００６】
上記目的を達成するために、本発明に係る戸パネルは、枠状芯材の戸厚方向両面に面材が設けられ、戸幅方向一方側端部に、上下方向に長尺なバー状のハンドル部材が取り付けられる戸パネルであって、前記枠状芯材を構成する戸幅方向一方側端部の第１縦枠部の戸幅方向内方側における所定の取付基準範囲を含んだ戸厚方向に見た面積よりも小さくなるように、前記ハンドル部材を取り付けるための下地材を設けたことを特徴とする。
【発明の効果】
【０００７】
本発明に係る戸パネルは、上述のような構成としたことで、軽量化を図りながらもハンドル部材を強固かつ効率的に取り付けることができる。
【図面の簡単な説明】
【０００８】
【図１】（ａ）は、本発明の一実施形態に係る戸パネルの一例を模式的に示す概略正面図、（ｂ）は、本発明の他の実施形態に係る戸パネルの一例を模式的に示す概略正面図、（ｃ）は、各実施形態に係る戸パネルの概略平面図である。
【図２】（ａ）は、図１（ａ）に示した戸パネルが備える枠状芯材の一例を模式的に示す概略正面図、（ｂ）は、図１（ｂ）に示した戸パネルが備える枠状芯材の一例を模式的に示す概略正面図である。
【図３】（ａ）、（ｂ）は、いずれも本発明の更に他の実施形態に係る戸パネルが備える枠状芯材の一例を模式的に示す概略正面図である。
【図４】（ａ）、（ｂ）は、いずれも本発明の更に他の実施形態に係る戸パネルが備える枠状芯材の一例を模式的に示す概略正面図である。
【発明を実施するための形態】
【０００９】
以下に本発明の実施の形態について、図面に基づいて説明する。
なお、以下の各実施形態では、各実施形態に係る戸パネルを施工した状態を基準として上下方向等の方向を説明する。
【００１０】
図１（ａ）、（ｃ）及び図２（ａ）は、第１実施形態に係る戸パネルの一例を模式的に示す図である。
本実施形態に係る戸パネル１は、図１（ａ）、（ｃ）に示すように、枠状芯材１１の戸厚方向両面に面材１０，１０が設けられ、戸幅方向一方側端部に、上下方向に長尺なバー状のハンドル部材３，３が取り付けられる構成とされている。図例では、戸パネル１の戸幅方向一方側端部における戸厚方向両側のそれぞれに、戸厚方向に見て互いに重なり合う位置となるようにハンドル部材３，３を取り付けた例を示している。なお、このような態様に代えて、戸パネル１の戸厚方向一方側のみにハンドル部材３を取り付けた態様としてもよい。
また、この戸パネル１は、長手方向を上下方向に沿わせて配設される引戸パネルや折戸の一方の戸パネル、開き戸パネルなどの建具パネルや、間仕切パネルなどの建具または間仕切を構成するものとしてもよい。
【００１１】
ハンドル部材３は、例えば、上下方向に長手方向を沿わせた略棒状（略円柱状）の握り部４と、この握り部４の上端部及び下端部から戸厚方向に向けて突出するように設けられた取付基部５，５と、を備えた構成とされたものとしてもよい。
このハンドル部材３の上下寸法Ｈ１は、身長差等のある種々の操作者が操作し易いように比較的に大きい寸法としてもよく、例えば、３００ｍｍ〜８００ｍｍ程度、好ましくは、４００ｍｍ〜７００ｍｍ程度としてもよい。
また、ハンドル部材３は、上下の取付基部５，５がねじ等の止具によって戸パネル１に固定される。図例では、このハンドル部材３を取り付ける止具の下穴２，２を、戸パネル１に設けた例を示している。下穴２，２は、当該戸パネル１が出荷前に工場等において設けられたものでもよく、施工現場において設けられたものでもよく、さらにはこのような下穴２，２を設けないようにしてもよい。
【００１２】
なお、ハンドル部材３を戸パネル１に取り付ける態様としては、種々の取付態様の採用が可能である。例えば、図例のように、戸パネル１の戸厚方向両側にハンドル部材３，３を取り付ける場合には、一方のハンドル部材３に設けられた止具挿通孔に挿通された止具を、戸パネル１を貫通させて他方のハンドル部材３の止着箇所に捩じ込んで取り付けるような態様としてもよい。この場合は、止具の頭部等を覆うカバー部材等を適宜、備えたものとしてもよい。または、戸パネル１の戸厚方向一方側から他方側のハンドル部材３に捩じ込んだねじの頭部を、一方側のハンドル部材３に設けられた凹所に収容させ、この凹所に径方向から連通する止めねじ孔に止めねじ（芋ねじ）を捩じ込んで取り付けるような態様としてもよい。さらには、戸パネル１の下穴２に挿通された両ねじ（スタッド）の両端部を、両ねじが挿通された操作円盤等を操作して戸厚方向両側のハンドル部材３，３に捩じ込んで取り付けるような態様等としてもよい。その他、ハンドル部材３や取付基部５等の態様に応じて、種々の取付態様の採用が可能である。
【００１３】
枠状芯材１１は、図２（ａ）に示すように、戸幅方向両側の縦枠部１２，１３と上下両側の横枠部１４，１５とからなる四周枠を備えている。これら縦枠部１２，１３及び横枠部１４，１５からなる四周枠は、一体的に形成されたものでもよいが、本実施形態では、それぞれに別体とされた部材を枠組みして形成された構成とされている。図例では、縦枠部１２，１３と横枠部１４，１５とを縦勝ち状に組み付けた例を示している。
また、これら縦枠部１２，１３及び横枠部１４，１５は、戸厚方向両面が互いに同一平面状となるように枠組みされている。また、本実施形態では、両縦枠部１２，１３の戸幅方向に沿う寸法を互いに同寸法とし、上下の横枠部１４，１５の上下方向に沿う寸法を、縦枠部１２，１３の戸幅方向に沿う寸法と同寸法としている。これら縦枠部１２，１３の戸幅方向に沿う寸法及び横枠部１４，１５の上下方向に沿う寸法は、２０ｍｍ〜５０ｍｍ程度としてもよく、２５ｍｍ〜３５ｍｍ程度としてもよい。
【００１４】
また、図例では、複数の横桟１６，１６，１６を両側の縦枠部１２，１３間に架け渡すように設けた例を示している。なお、このような横桟１６に代えて、または加えて、縦桟を設けるようにしてもよい。また、図例では、枠状芯材１１の四隅に、ランナー部材や戸車等の走行部材の取付下地を設けた例を示している。
この枠状芯材１１の各枠部１２，１３，１４，１５や横桟１６は、木質系材料から形成されたものとしてもよい。木質系材料としては、比較的に強度のある無垢材や、合板やＬＶＬ（単板積層材）等の木質積層板としてもよい。
また、各枠部１２，１３，１４，１５や横桟１６によって囲まれた空間に、適宜、ペーパーコア（ハニカムコア）や発泡樹脂等のコア材を充填するようにしてもよい。
【００１５】
また、戸パネル１は、枠状芯材１１を構成する戸幅方向一方側端部の第１縦枠部（図示左側の縦枠部）１２の戸幅方向内方側（戸幅方向中央側）に、ハンドル部材３を取り付けるための下地材１７を設けた構成とされている。つまり、枠状芯材１１の第１縦枠部１２は、上記したように、その戸幅方向に沿う寸法が比較的に小さく、第１縦枠部１２に対してはハンドル部材３を取付け難い構成とされており、そのため、下地材１７を設けた構成としている。
この下地材１７は、第１縦枠部１２の戸幅方向内方側における所定の取付基準範囲を含んだ戸厚方向に見た面積よりも小さくなるように設けられている。また、この下地材１７は、戸厚方向両面が枠状芯材１１の各枠部１２，１３，１４，１５の戸厚方向両面と同一平面状となるように第１縦枠部１２の戸幅方向内方側に設けられている。この下地材１７は、上記同様、比較的に強度のある無垢材や、合板やＬＶＬ（単板積層材）等の木質積層板等の木質系材料から形成されたものとしてもよい。
【００１６】
上記所定の取付基準範囲は、戸パネル１自体の高さ（上下寸法）や、上記したハンドル部材３の上下寸法Ｈ１等に応じて、戸パネル１の種々の使用態様や施工箇所に対応可能なように標準的に設定される範囲で比較的に広範な範囲である。例えば、取付基準範囲の上端から下端まで（取付基準範囲自体）の上下寸法Ｈを、ハンドル部材３の上下寸法Ｈ１の２倍〜４倍程度としてもよい。また、例えば、ハンドル部材３の上下寸法Ｈ１を上記のような寸法とした場合には、取付基準範囲の上下寸法Ｈを、１０００ｍｍ〜１６００ｍｍ程度としたり、１１００ｍｍ〜１３００ｍｍ程度としたりしてもよい。また、取付基準範囲の下限となる下端から戸パネル１の下端までの上下寸法Ｈ３を、２００ｍｍ〜４００ｍｍ程度としたり、２５０ｍｍ〜３５０ｍｍ程度としたりしてもよい。
【００１７】
また、取付基準範囲自体の戸幅方向に沿う寸法は、ハンドル部材３の取付態様等に応じて設定されるものでもよく、２０ｍｍ〜５０ｍｍ程度としてもよく、２５ｍｍ〜３５ｍｍ程度としてもよい。また、例えば、取付基準範囲の戸幅方向内方側端から戸パネル１の戸幅方向一方側端面（戸先側端面）までの戸幅方向に沿う寸法を、４０ｍｍ〜１００ｍｍ程度としてもよい。
つまり、第１縦枠部１２の戸幅方向内方側における上記取付基準範囲を含んだ戸厚方向に見た面積は、第１縦枠部１２の戸幅方向内方側面から取付基準範囲の戸幅方向内方側端までの戸幅方向に沿う幅寸法Ｗに取付基準範囲の上下寸法Ｈを乗じた値となる。
【００１８】
下地材１７は、戸厚方向に見た面積が、第１縦枠部１２の戸幅方向内方側における上記取付基準範囲を含んだ戸厚方向に見た面積よりも小さくなるように設けられている。本実施形態では、下地材１７を、取付基準範囲内に位置するように設けている。
また、本実施形態では、この下地材１７の上下寸法Ｈ２を、ハンドル部材３の上下寸法Ｈ１よりも大きく、取付基準範囲の上下寸法Ｈよりも小さい寸法としている。この下地材１７の上下寸法Ｈ２は、取付基準範囲の上下寸法Ｈの９／１０以下としてもよい。
【００１９】
また、本実施形態では、この下地材１７の上下寸法Ｈ２を、取付基準範囲の上下寸法Ｈにハンドル部材３の上下寸法Ｈ１を加えて２等分した寸法よりも大きい寸法としている。また、このような上下寸法Ｈ２とされた下地材１７を、取付基準範囲の上限側または下限側に設けた構成としている。本実施形態では、下地材１７を、取付基準範囲の下限側に設けた構成としている。つまり、戸厚方向に見て、取付基準範囲の下限と下地材１７の下端とが概ね一致するように下地材１７を設けた構成としている。このような構成とすれば、例えば、車椅子の利用者が多い施設や、乳幼児等が多い施設等に設置される戸パネル１として好適なものとなる。
【００２０】
この下地材１７の上下寸法Ｈ２は、ハンドル部材３の上下寸法Ｈ１や取付基準範囲の上下寸法Ｈを上記のような寸法とした場合には、例えば、５００ｍｍ〜１１００ｍｍ程度としてもよく、８００ｍｍ〜１０００ｍｍ程度としてもよい。
また、本実施形態では、この下地材１７の戸幅方向に沿う寸法を、第１縦枠部１２の戸幅方向内方側面から取付基準範囲の戸幅方向内方側端までの戸幅方向に沿う幅寸法Ｗと概ね同寸法としている。なお、このような態様に代えて、下地材１７の戸幅方向に沿う寸法を、上記幅寸法Ｗよりも大きい寸法としたり、小さい寸法としたりしてもよい。
【００２１】
また、本実施形態では、図２（ａ）に示すように、下地材１７を、複数の角柱状部材１７ａ，１７ｂを戸幅方向に積層させた構成としている。図例では、互いに同寸同形状とされた２本の角柱状部材１７ａ，１７ｂを並列状に設けて下地材１７を構成した例を示しており、これら角柱状部材１７ａ，１７ｂの戸幅方向に沿う寸法を、第１縦枠部１２の戸幅方向に沿う寸法と同寸法とした例を示している。このような構成とすれば、下地材１７を、第１縦枠部１２（本実施形態では、各枠部１２，１３，１４，１５）と同一の角柱状材料から容易に形成することができ、生産性を向上させることができる。なお、このような態様に代えて、戸幅方向に単一状とされた下地材１７を、第１縦枠部１２の戸幅方向内方側面に固定した態様としてもよい。
また、下地材１７は、ねじや釘、タッカー等の止具や、これに代えてまたは加えて、接着剤等によって第１縦枠部１２の戸幅方向内方側面に固定するようにしてもよい。また、図例では、上記した複数の横桟１６，１６，１６のうちの２本の横桟１６，１６の第１縦枠部１２側の端部を、下地材１７に固定した例を示している。
【００２２】
戸厚方向両側の面材１０，１０は、図１（ｃ）に示すように、薄板状とされ、枠状芯材１１の戸厚方向両面に接着剤等によって貼着されている。
これら面材１０，１０としては、インシュレーションボードやＭＤＦ（中密度繊維板）等の木質繊維板などの木質系材料からなる板材の表面に、合成樹脂製シートや突板等の表面仕上材となる化粧シートが貼着された構成とされたものとしてもよい。
【００２３】
なお、図例では、戸パネル１の戸幅方向両側端面において面材１０，１０の戸幅方向両側端面及び枠状芯材１１の両縦枠部１２，１３を露出させたような図示としているが、戸パネル１の戸幅方向両側端面に、適宜、エッジシート等が貼着されたものとしてもよい。または、枠状芯材１１の四周の角部に応じた適宜の折曲溝等が裏面に設けられた面材１０を、枠状芯材１１の四周表面に一連状に巻き付けるように貼着したような態様等としてもよい。また、戸パネル１の上下端面にも必要に応じて、エッジシートや面材等を貼着するようにしてもよい。
また、上記した下穴２は、戸厚方向両側の面材１０，１０を貫通し、上記した下地材１７に至るように戸厚方向両側から設けられたものとしてもよく、下地材１７をも貫通するように設けられたものとしてもよい。
また、下地材１７自体や、その上方側や下方側等の適所に、錠装置等を取り付けるための収納凹所や加工孔等や、取付下地を適宜、設けておくようにしてもよい。
【００２４】
本実施形態に係る戸パネル１は、上述のような構成としたことで、軽量化を図りながらもハンドル部材３を強固かつ効率的に取り付けることができる。
つまり、枠状芯材１１の戸厚方向両面に面材１０，１０を設けた構成としているので、戸パネル１がフラッシュパネル状となり、戸パネル１の軽量化を図ることができる。
また、戸幅方向一方側端部の第１縦枠部１２の戸幅方向内方側にハンドル部材３を取り付けるための下地材１７を設けている。従って、上記のように軽量化を図りながらも、下地材１７に対してハンドル部材３を強固に取り付けることができる。また、この下地材１７を、第１縦枠部１２の戸幅方向内方側における所定の取付基準範囲を含んだ戸厚方向に見た面積よりも小さくなるように設けている。従って、例えば、戸パネル１の概ね全長に亘って下地材を設けたものや、第１縦枠部１２の内方側から取付基準範囲全体を含むように下地材を設けたようなものと比べて、下地材１７を小さくすることができ、ハンドル部材３を効率的に取り付けることができる。
【００２５】
次に、本発明に係る他の実施形態について、図面を参照しながら説明する。
図１（ｂ）、（ｃ）及び図２（ｂ）は、第２実施形態に係る戸パネルの一例を模式的に示す図である。
なお、上記第１実施形態との相違点について主に説明し、同様の構成については、同一の符号を付し、その説明を省略または簡略に説明する。
【００２６】
本実施形態に係る戸パネル１Ａは、枠状芯材１１Ａの第１縦枠部１２に対する下地材１７Ａの高さ位置が上記第１実施形態とは主に異なる。
本実施形態では、上記第１実施形態と同様の構成とされた下地材１７Ａを、上記取付基準範囲の上限側に設けた構成としている。つまり、取付基準範囲の上下寸法Ｈにハンドル部材３の上下寸法Ｈ１を加えて２等分した寸法よりも大きく、かつ取付基準範囲の上下寸法Ｈよりも小さい上下寸法Ｈ２とされた下地材１７Ａを、取付基準範囲の上限側に設けた構成としている。つまりは、戸厚方向に見て、取付基準範囲の上限と下地材１７Ａの上端とが概ね一致するように下地材１７Ａを設けた構成としている。このような構成とすれば、図１（ｂ）に示すように、下地材１７Ａの下端から戸パネル１Ａの下端までの上下寸法Ｈ４が上記第１実施形態と比べて大きくなり、例えば、立位にて操作する成人が多い施設等に設置される戸パネル１Ａとして好適なものとなる。この下地材１７Ａの下端から戸パネル１Ａの下端までの上下寸法Ｈ４は、下地材１７Ａの上下寸法Ｈ２や、ハンドル部材３の上下寸法Ｈ１、取付基準範囲の上下寸法Ｈを上記のような寸法とした場合には、例えば、４００ｍｍ〜７００ｍｍ程度としてもよく、５００ｍｍ〜６００ｍｍ程度としてもよい。
【００２７】
つまり、本実施形態及び上記第１実施形態のように、上記のような上下寸法Ｈ２とされた下地材１７，１７Ａを、取付基準範囲の上限側または下限側に設けた構成とすることで、下地材１７，１７Ａの上下寸法Ｈ２を効率的に小さくすることができる。
つまりは、本実施形態のように、ハンドル部材３を比較的に高い位置に取り付ける場合には、取付基準範囲の上限側に下地材１７Ａを設けた戸パネル１Ａとすることができる。また、上記第１実施形態のように、ハンドル部材３を比較的に低い位置に取り付ける場合には、取付基準範囲の下限側に下地材１７を設けた戸パネル１とすることができる。つまり、このような構成とされた２種類の戸パネル１，１Ａを準備しておけば、取付基準範囲のいずれの高さ位置にハンドル部材３を取り付ける場合にも対応することが可能となる。
また、図１（ａ）、（ｂ）に示すように、上限側に下地材１７Ａを設けた戸パネル１Ａと下限側に下地材１７を設けた戸パネル１とを戸厚方向に重ね合わせて戸厚方向に見た状態における互いの下地材１７，１７Ａが重なり合う部位の上下寸法Ｈ５が、ハンドル部材３の上下寸法Ｈ１よりも大きい寸法となる。これにより、取付基準範囲の上下方向略中央部にハンドル部材３を取り付ける場合には、上限側に下地材１７Ａを設けた戸パネル１Ａ及び下限側に下地材１７を設けた戸パネル１のうちのいずれの戸パネル１，１Ａによっても対応することが可能となる。
【００２８】
また、図例では、このような下地材１７Ａの高さ位置に応じて、枠状芯材１１Ａの複数の横桟１６，１６，１６のうちの１本の横桟１６の第１縦枠部１２側の端部を、下地材１７Ａに固定した例を示している。
上記構成とされた本実施形態に係る戸パネル１Ａにおいても、上記した第１実施形態と概ね同様の効果を奏する。
【００２９】
次に、本発明に係る更に他の実施形態について、図面を参照しながら説明する。
図３（ａ）は、第３実施形態に係る戸パネルの一例を模式的に示す図である。
なお、上記各実施形態との相違点について主に説明し、同様の構成については、同一の符号を付し、その説明を省略または簡略に説明する。
また、図３及び図４では、面材１０の図示を省略している。
【００３０】
本実施形態に係る戸パネル１Ｂは、枠状芯材１１Ｂに設けられた下地材１７Ｂの構成が上記各実施形態とは主に異なる。
本実施形態では、下地材１７Ｂの戸幅方向に沿う寸法を、枠状芯材１１Ｂの第１縦枠部１２の戸幅方向に沿う寸法と同寸法としている。また、下地材１７Ｂの上下寸法（Ｈ２）と同寸法とされたスペーサー材１８を間に挟んで下地材１７Ｂを第１縦枠部１２に固定した構成としている。このような構成とすれば、下地材１７Ｂを、枠状芯材１１Ｂを構成する第１縦枠部１２（本実施形態では、各枠部１２，１３，１４，１５）と同一の角柱状材料から容易に形成することができ、生産性を向上させることができる。また、上記のように、第１縦枠部１２の戸幅方向に沿う寸法が小さいような場合にもスペーサー材１８を設けることで、下地材１７Ｂをハンドル部材３の取付に適した戸幅方向位置に設けることができる。また、スペーサー材１８を介して下地材１７Ｂを安定的に第１縦枠部１２に固定することができる。
【００３１】
つまり、本実施形態では、上記各実施形態とは異なり、下地材１７Ｂの戸幅方向に沿う寸法を、第１縦枠部１２の戸幅方向内方側面から取付基準範囲の戸幅方向内方側端までの戸幅方向に沿う幅寸法（Ｗ）よりも小さい寸法とし、第１縦枠部１２との間にスペーサー材１８を設けた構成としている。
スペーサー材１８の戸幅方向に沿う寸法は、第１縦枠部１２の戸幅方向に沿う寸法や、ハンドル部材３の戸幅方向に沿う取付位置に応じて適宜の寸法としてもよい。図例では、このスペーサー材１８の戸幅方向に沿う寸法を、下地材１７Ｂの戸幅方向に沿う寸法よりも小さい寸法としているが、下地材１７Ｂの戸幅方向に沿う寸法と同寸法としたり、これよりも大きい寸法としたりしてもよい。
【００３２】
また、このスペーサー材１８は、戸厚方向に沿う寸法が、下地材１７Ｂの戸厚方向に沿う寸法、つまり、枠状芯材１１Ｂの戸厚方向に沿う寸法よりも小さい寸法とされたものでもよいが、戸厚方向両面が枠状芯材１１Ｂの戸厚方向両面と同一平面状となるものでもよい。
また、スペーサー材１８は、下地材１７Ｂとは異なる材料から形成されたものとしてもよく、例えば、下地材１７Ｂよりも脆弱で安価なパーティクルボードやインシュレーションボード等から形成されたものとしてもよい。
【００３３】
また、本実施形態では、上記第１実施形態と同様、上記のような上下寸法（Ｈ２）とされた下地材１７Ｂ及びスペーサー材１８を、上記取付基準範囲の下限側に設けた構成としている。
上記構成とされた本実施形態に係る戸パネル１Ｂにおいても、上記した第１実施形態と概ね同様の効果を奏する。
【００３４】
次に、本発明に係る更に他の実施形態について、図面を参照しながら説明する。
図３（ｂ）は、第４実施形態に係る戸パネルの一例を模式的に示す図である。
なお、上記各実施形態との相違点について主に説明し、同様の構成については、同一の符号を付し、その説明を省略または簡略に説明する。
【００３５】
本実施形態に係る戸パネル１Ｃは、枠状芯材１１Ｃの第１縦枠部１２に対する下地材１７Ｃ及びスペーサー材１８の高さ位置が上記第３実施形態とは主に異なる。
本実施形態では、上記第３実施形態と同様の構成とされた下地材１７Ｃ及びスペーサー材１８を、上記第２実施形態と同様、上記取付基準範囲の上限側に設けた構成としている。
このような構成とされた本実施形態に係る戸パネル１Ｃにおいても、上記した各実施形態と概ね同様の効果を奏する。
【００３６】
次に、本発明に係る更に他の実施形態について、図面を参照しながら説明する。
図４（ａ）は、第５実施形態に係る戸パネルの一例を模式的に示す図である。
なお、上記各実施形態との相違点について主に説明し、同様の構成については、同一の符号を付し、その説明を省略または簡略に説明する。
【００３７】
本実施形態に係る戸パネル１Ｄは、枠状芯材１１Ｄの構成、及び枠状芯材１１Ｄに設けられた下地材１７Ｄの構成が上記各実施形態とは主に異なる。
本実施形態では、枠状芯材１１Ｄの両側の縦枠部１２Ａ，１３Ａの戸幅方向に沿う寸法、及び両側の横枠部１４Ａ，１５Ａの上下方向に沿う寸法を、上記各実施形態よりも僅かに小さい寸法とした例を示している。また、上下の横枠部１４Ａ，１５Ａの内方側面に当接させるように横桟１６を設けた例を示している。
【００３８】
また、本実施形態では、第１縦枠部１２Ａとの間に隙間が形成されるように、第１縦枠部１２Ａにスペーサー部１９，１９を介して下地材１７Ｄを固定した構成としている。このような構成とすれば、上記のように、第１縦枠部１２Ａの戸幅方向に沿う寸法が小さいような場合にも、下地材１７Ｄをハンドル部材３の取付に適した戸幅方向位置に設けることができ、また、下地材１７Ｄの戸幅方向に沿う寸法を効率的に小さくすることができる。
つまり、本実施形態では、下地材１７Ｄの戸幅方向に沿う寸法（スペーサー部１９が設けられた部位を除く部位の戸幅方向に沿う寸法）を、第１縦枠部１２Ａの戸幅方向内方側面から取付基準範囲の戸幅方向内方側端までの戸幅方向に沿う幅寸法（Ｗ）よりも小さい寸法としている。
【００３９】
第１縦枠部１２Ａとの間に形成される隙間の戸幅方向に沿う寸法は、第１縦枠部１２Ａの戸幅方向に沿う寸法や、ハンドル部材３の戸幅方向に沿う取付位置に応じて適宜の寸法としてもよい。換言すれば、スペーサー部１９，１９の戸幅方向に沿う寸法を、第１縦枠部１２Ａの戸幅方向に沿う寸法や、ハンドル部材３の戸幅方向に沿う取付位置に応じて適宜の寸法としてもよい。
本実施形態では、下地材１７Ｄの上端部及び下端部のそれぞれにスペーサー部１９，１９を設けた構成としている。なお、このような態様に代えて、または加えて、下地材１７Ｄの上下方向途中部位にスペーサー部１９を設けた態様としてもよい。
図例では、下地材１７Ｄの上端面及び下端面のそれぞれに別部材からなるスペーサー部１９，１９を固定し、これら上下両側のスペーサー部１９，１９を、第１縦枠部１２Ａに固定した例を示している。
【００４０】
また、本実施形態では、下地材１７Ｄの戸幅方向に沿う寸法を、枠状芯材１１Ｄの第１縦枠部１２Ａの戸幅方向に沿う寸法と同寸法としている。このような構成とすれば、上記同様、下地材１７Ｄを、枠状芯材１１Ｄを構成する第１縦枠部１２Ａ（本実施形態では、各枠部１２Ａ，１３Ａ，１４Ａ，１５Ａ）と同一の角柱状材料から容易に形成することができ、生産性を向上させることができる。なお、上記のようにスペーサー部１９，１９を、下地材１７Ｄとは別体とした場合には、スペーサー部１９，１９を、第１縦枠部１２Ａと同一の角柱状材料から形成されるものとしてもよい。または、このような態様に代えて、スペーサー部１９，１９を、下地材１７Ｄに一体的に設けた態様としてもよい。
【００４１】
また、本実施形態では、上記第１実施形態及び第３実施形態と同様、上記のような上下寸法（Ｈ２）とされた下地材１７Ｄを、上記取付基準範囲の下限側に設けた構成としている。なお、図例のように下地材１７Ｄの上下両側にスペーサー部１９，１９を設けた場合には、下地材１７Ｄの上下寸法（Ｈ２）を、これらスペーサー部１９，１９も含んだ寸法として把握するようにしてもよい。
上記構成とされた本実施形態に係る戸パネル１Ｄにおいても、上記した各実施形態と概ね同様の効果を奏する。
【００４２】
次に、本発明に係る更に他の実施形態について、図面を参照しながら説明する。
図４（ｂ）は、第６実施形態に係る戸パネルの一例を模式的に示す図である。
なお、上記各実施形態との相違点について主に説明し、同様の構成については、同一の符号を付し、その説明を省略または簡略に説明する。
【００４３】
本実施形態に係る戸パネル１Ｅは、枠状芯材１１Ｅの第１縦枠部１２Ａに対する下地材１７Ｅ及びスペーサー部１９，１９の高さ位置が上記第５実施形態とは主に異なる。
本実施形態では、上記第５実施形態と同様の構成とされた下地材１７Ｅ及びスペーサー部１９，１９を、上記第２実施形態及び第４実施形態と同様、上記取付基準範囲の上限側に設けた構成としている。
このような構成とされた本実施形態に係る戸パネル１Ｅにおいても、上記した各実施形態と概ね同様の効果を奏する。
【００４４】
なお、上記各実施形態において説明した互いに異なる構成を、適宜、組み替えたり、組み合わせたりして適用するようにしてもよい。
また、上記第３実施形態〜第６実施形態のように、各下地材１７Ｂ，１７Ｃ，１７Ｄ，１７Ｅの戸幅方向に沿う寸法を、第１縦枠部１２，１２Ａの戸幅方向内方側面から取付基準範囲の戸幅方向内方側端までの戸幅方向に沿う幅寸法（Ｗ）よりも小さい寸法とした場合には、これら下地材１７Ｂ，１７Ｃ，１７Ｄ，１７Ｅの上下寸法（Ｈ２）を、取付基準範囲の上下寸法Ｈ以上等としたりしてもよい。つまりは、下地材１７，１７Ａ〜１７Ｅは、戸厚方向に見た面積が、第１縦枠部１２，１２Ａの戸幅方向内方側における取付基準範囲を含んだ戸厚方向に見た面積よりも小さいものであればよい。
【００４５】
また、上記各実施形態では、戸パネル１，１Ａ〜１Ｅの戸幅方向一方側端部側のみに下地材１７，１７Ａ〜１７Ｅを設けた例を示しているが、戸幅方向他方側端部側にも左右対称状に下地材１７，１７Ａ〜１７Ｅを設けるようにしてもよい。
また、上記各実施形態において説明した各戸パネル１，１Ａ〜１Ｅを、框状パネルの縦框部を構成するものとして把握するようにしてもよい。つまりは、枠状芯材１１，１１Ａ〜１１Ｅを、框状パネルの縦框部の芯材を構成するものとし、この芯材に上記のような下地材１７，１７Ａ〜１７Ｅを設けた構成としてもよい。上記のような下地材１７，１７Ａ〜１７Ｅを設けた戸パネルとしては、その他、種々の変形が可能である。
【符号の説明】
【００４６】
１，１Ａ〜１Ｅ        戸パネル
１０                  面材
１１，１１Ａ〜１１Ｅ  枠状芯材
１２，１２Ａ          第１縦枠部
１７，１７Ａ〜１７Ｅ  下地材
１８                  スペーサー材
１９                  スペーサー部
３                    ハンドル部材
Ｈ                    取付基準範囲の上下寸法
Ｈ１                  ハンドル部材の上下寸法
Ｈ２                  下地材の上下寸法
【図１】
2016035171.tif 000003
【図２】
2016035171.tif 000004
【図３】
2016035171.tif 000005
【図４】
2016035171.tif 000006